(57)【特許請求の範囲】
【請求項１】
電気部品を収容する箱体と、
前記箱体の外表面から突出した延在部と、該延在部の先端部に設けられかつパネルに本固定される部分と、を備えて、該箱体を前記パネルに本固定する第１本固定部と、
前記第１本固定部の前記延在部の先端部に設けられかつ前記箱体を前記パネルに仮固定する第１仮固定部と、
前記箱体の外表面から前記延在部と交差する方向に突出したアーム部と、該アーム部の先端部から前記箱体の外表面に沿って突出した係止突起と、を備え、前記パネルを前記係止突起と前記箱体との間に位置付けて、前記箱体をパネルに仮固定する第２仮固定部と、
前記第２仮固定部の前記アーム部の先端部に設けられかつ前記箱体を前記パネルに本固定する第２本固定部と、
を備えたことを特徴とする電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力や所望の信号を供給するために、前記自動車は、ジャンクションブロック（例えば、特許文献１参照）を適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱体と、配線盤と、仮固定部と、本固定部とを備えている。箱体は、前述したリレー、ヒューズやヒュージブルリンクなどの電気部品が装着されるとともに、前述した自動車に配索されるワイヤハーネスのコネクタが嵌合する。
【０００６】
ワイヤハーネスは、複数の電線と、該電線の端部などに取り付けられたコネクタとを備えている。コネクタは、前述した自動車に搭載される各種の電子機器や前述した箱体に嵌合する。配線盤は、前述した各種の電気部品と、ワイヤハーネスのコネクタの端子とを予め定められたパターンにしたがって接続するバスバなどを備えている。
【０００７】
仮固定部は、箱体の外表面から突出しかつ前記パネルに設けられた孔内に侵入して前記パネルに係止するボスを備えている。本固定部は、箱体の外表面から突出し、かつ前端が前記パネルに重ねられる取付片と、該取付片を貫通してボルトを通すボルト通し孔などを備えている。本固定部は、ボルト通し孔内を通ったボルトが、パネルに取り付けられたウェルドナットに螺合することで、箱体即ち電気接続箱をパネルに本固定する。
【０００８】
前述した電気接続箱は、箱体内に配線盤を収容し、該箱体に所望の電気部品を装着し、さらに箱体内にワイヤハーネスのコネクタを嵌合させる。こうして、前述した電気接続箱が組み立てられる。そして、箱体即ち電気接続箱は、仮固定部のボスが前記孔内に係止して、前記パネルに仮固定された後、本固定部のボルト通し内に通されたボルトが前述したウェルドナットに螺合して、該パネルに本固定される。そして、電気接続箱は、電源などから供給される電源からの電力や各種の信号を、ヒュージブルリンクなどの電気部品、ワイヤハーネスの電線などを介して、自動車に搭載される前述した各種の電子機器に供給する。
【特許文献１】特開平１１−２４１７０６号公報
【発明の開示】
【発明が解決しようとする課題】
【０００９】
前述した特許文献１に記載された電気接続箱は、パネルに設けられた孔内に係止して箱体をパネルに仮固定するボスが箱体の外表面から突出しているだけであるので、該孔内から抜け出やすかった。このため、特許文献１に記載された電気接続箱は、不意にボスが孔内から抜け出て、箱体をパネルに仮固定することが困難であった。
【００１０】
したがって、本発明の目的は、箱体をパネルに確実に仮固定することができる電気接続箱を提供することにある。
【課題を解決するための手段】
【００１１】
前記課題を解決し目的を達成するために、請求項１に記載の本発明の電気接続箱は、電気部品を収容する箱体と、前記箱体の外表面から突出した延在部と、該延在部の先端部に設けられかつパネルに本固定される部分と、を備えて、該箱体を前記パネルに本固定する第１本固定部と、前記第１本固定部の前記延在部の先端部に設けられかつ前記箱体を前記パネルに仮固定する第１仮固定部と、前記箱体の外表面から前記延在部と交差する方向に突出したアーム部と、該アーム部の先端部から前記箱体の外表面に沿って突出した係止突起と、を備え、前記パネルを前記係止突起と前記箱体との間に位置付けて、前記箱体をパネルに仮固定する第２仮固定部と、前記第２仮固定部の前記アーム部の先端部に設けられかつ前記箱体を前記パネルに本固定する第２本固定部と、を備えたことを特徴としている。
【００１３】
請求項１に記載した本発明の電気接続箱によれば、仮固定部が、係止突起と箱体との間にパネルを挟むので、該係止突起のパネルとの係止が外れにくくなる。
【００１４】
仮固定部のアーム部に固定部を設けているので、仮固定された状態で箱体をパネルに本固定することができる。
【発明の効果】
【００１５】
以上説明したように請求項１に記載の本発明は、係止突起のパネルとの係止が外れにくくなるので、仮固定中の仮固定部が不意にパネルから脱落することを防止できる。したがって、箱体をパネルに確実に仮固定することができる。
【００１６】
仮固定された状態で箱体をパネルに本固定することができるので、箱体即ち電気接続箱のパネルへの取付を速やかに行うことができる。
【発明を実施するための最良の形態】
【００１７】
以下、本発明の一実施形態にかかる電気接続箱を、図１ないし図４に基づいて説明する。
【００１８】
本実施形態にかかる図１に示す電気接続箱１は、移動体としての自動車に搭載されるとともに、該自動車の車体などのボディパネル２（図４に示し、パネルに相当）に固定される。ボディパネル２は、板金などで構成されている。ボディパネル２には、図４に示すように、取付片３が立設している。取付片３は、平板状に形成されているとともに、ボルト４を通す通し孔５が形成されている。また、取付片３には、前述したボルト４が螺合するナット６が溶接などによって固定されている。また、ボディパネル２の取付片３の近傍には、貫通孔などが設けられていない。
【００１９】
電気接続箱１は、図１ないし図３に示すように、箱体７と、第１本固定部８と、第２本固定部９と、第１仮固定部１０と、第２仮固定部１１とを備えている。箱体７は、図３に示すように、本体部１２と、複数のカセットブロック１３と、アッパカバー１４と、ロアカバー１５とを備えている。本体部１２は、絶縁性の合成樹脂で構成され、周知の射出成型によって成型される。本体部１２は、互いに連なる複数の外壁１６により筒状に形成されている。また、本体部１２には、該本体部１２内を仕切る隔壁１７が設けられている。
【００２０】
カセットブロック１３は、本体部１２内に収容可能な大きさの箱状に形成されている。カセットブロック１３は、本体部１２の図３中の下方側の開口を通して、本体部１２内に収容される。カセットブロック１３は、図示しない端子金具を収容している。カセットブロック１３の図３中下方側の表面には、図示しないワイヤハーネスのコネクタが嵌合する。該ワイヤハーネスは、勿論、複数の電線と、該電線の端末に取り付けられたコネクタなどを備えている。
【００２１】
また、カセットブロック１３の図３中の上方側の表面には、電気部品としてのリレー１８やヒューズ１９などが装着される。カセットブロック１３内の端子金具は、ワイヤハーネスのコネクタの端子金具と、リレー１８やヒューズ１９などの電気部品とを接続する。カセットブロック１３は、前述したリレー１８やヒューズ１９などの電気部品とワイヤハーネスの電線とを予め定められたパターンにしたがって、電気的に接続する。
【００２２】
アッパカバー１４は、絶縁性の合成樹脂で構成され、周知の射出成型によって成型される。アッパカバー１４は、互いに連なる複数の外壁２０を備えて、有底筒状に形成されている。アッパカバー１４は、本体部１２の図３中の上方側を覆う状態で、該本体部１２に取り付けられる。
【００２３】
ロアカバー１５は、絶縁性の合成樹脂で構成され、周知の射出成型によって成型される。ロアカバー１５は、互いに連なる複数の外壁２１を備えて、有底筒状に形成されている。ロアカバー１５は、本体部１２の図３中の下方側を覆う状態で、該本体部１２に取り付けられる。
【００２４】
箱体７は、本体部１２に装着されたカセットブロック１３に前述したリレー１８やヒューズ１９などの電気部品を装着し、該本体部１２に前述したようにアッパカバー１４とロアカバー１５とを取り付けることで、前述したリレー１８やヒューズ１９などの電気部品を収容する。
【００２５】
第１本固定部８は、ロアカバー１５から該電気接続箱１の外側に向かって延在した延在部２２と、該延在部２２のロアカバー１５から離れた側の先端部に設けられたボルト通し孔２３とを備えている。ボルト通し孔２３は、勿論、延在部２２の先端部を貫通している。第１本固定部８は、ボルト通し孔２３内にボルトを通すとともに、該ボルトがパネルに取り付けられたナットなどに螺合することで、箱体７即ち電気接続箱１をボディパネル２に本固定する。なお、本発明における本固定とは、電気接続箱１に外力を加えても、該電気接続箱１がボディパネル２に対して位置ずれしないように、該電気接続箱１をボディパネル２に固定することをいう。
【００２６】
第２本固定部９は、第２仮固定部１１の後述するアーム部２５に設けられたボルト通し孔２４を備えている。ボルト通し孔２４は、アーム部２５の箱体７の本体部１２から離れた側の先端部に設けられ、かつ該先端部を勿論貫通している。第２本固定部９は、前述したアーム部２５の先端部が前述した取付片３に重ねられて、ボルト通し孔２４内にボルト４を通す。そして、第２本固定部９は、前記ボルト４が通し孔５内を通って前述したナット６に螺合して、箱体７即ち電気接続箱１をボディパネル２に本固定する。なお、この第２本固定部９は、特許請求の範囲に記載された固定部をなしている。
【００２７】
第１仮固定部１０は、第１本固定部８の延在部２２の前述した先端部からボディパネル２に向かって延びた棒状に形成されている。第１仮固定部１０は、ボディパネル２に設けられた図示しない孔内に侵入し、該孔内に係止することで、箱体７即ち電気接続箱１をボディパネル２に仮固定する。第１仮固定部１０は、主に、電気接続箱１のアッパカバー１４の上面などと平行な幅方向Ｘ（図１中に矢印で示す）に沿って、前述した箱体７即ち電気接続箱１をボディパネル２に位置決め（仮固定）する。なお、本発明における仮固定とは、電気接続箱１に外力を加えると、該電気接続箱１がボディパネル２に対して容易に位置ずれしてしまうように、該電気接続箱１をボディパネル２に固定することをいう。
【００２８】
第２仮固定部１１は、アーム部２５と、係止突起２６とを備えている。アーム部２５は、箱体７の本体部１２の外表面から該電気接続箱１の外側に向かって延在している（突出している）。係止突起２６は、アーム部２５の前述した先端部から幅方向Ｘ即ち箱体７の本体部１２の外表面に沿って突出している。係止突起２６は、箱体７の本体部１２に向かうにしたがって、前述した先端部からの突出量が徐々に増加している。
【００２９】
前述した第２仮固定部１１は、図４に示すように、係止突起２６と箱体７の本体部１２との間に前述したボディパネル２を位置付けて（挟んで）、該前述した箱体７即ち電気接続箱１をボディパネル２に位置決め（仮固定）する。第２仮固定部１１は、主に、電気接続箱１のアッパカバー１４の上面などと平行でかつ前述した幅方向Ｘと直交する奥行き方向Ｙ（図１中に矢印で示す）に沿って、前述した箱体７即ち電気接続箱１をボディパネル２に位置決め（仮固定）する。第２仮固定部１１は、特許請求の範囲に記載された仮固定部をなしている。また、前述したアーム部２５は、その先端部に第２本固定部９を設けている。
【００３０】
前述した構成の電気接続箱１を、以下のようにボディパネル２に取り付ける（固定する）。まず、第１仮固定部１０をボディパネル２に設けられた孔内に係止し、第２仮固定部１１のアーム部２５をボディパネル２の取付片３に重ねるとともに、係止突起２６と箱体７との間にボディパネル２を挟む。こうして、まず、箱体７即ち電気接続箱１をボディパネル２に仮固定する。
【００３１】
そして、ボルトを第１本固定部８のボルト通し孔２３内に通した後、ナットに螺合させて、第１本固定部８をボディパネル２に固定するとともに、ボルト４を第２本固定部９のボルト通し孔２４内に通してナット６に螺合させて、第２本固定部９をボディパネル２に固定する。こうして、前述した構成の電気接続箱１をボディパネル２に固定する（取り付ける）。
【００３２】
本実施形態によれば、第２仮固定部１１が、係止突起２６と箱体７との間にボディパネル２を挟むので、該係止突起２６のボディパネル２との係止が外れにくくなり、仮固定中の第２仮固定部１１が不意にボディパネル２から脱落することを防止できる。したがって、箱体７をボディパネル２に確実に仮固定することができ、仮固定された状態で箱体７をボディパネル２に容易に本固定することができる。
【００３３】
第２仮固定部１１のアーム部２５に第２本固定部９のボルト通し孔２４が設けられているので、仮固定された状態で箱体７をボディパネル２に本固定することができ、箱体７即ち電気接続箱１のボディパネル２への取付を速やかに行うことができる。また、係止突起２６と箱体７との間にボディパネル２を挟むので、仮固定するための貫通孔などをボディパネル２に設ける必要が生じない。このため、ボディパネル２内の熱などが合いボディパネル２外などに漏れやすくなることを防止できる。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。例えば、自動車に限らず種々の機械に前述した電気接続箱１を設けても良く、ボディパネル以外のパネルに電気接続箱１を取り付けても良い。
【図面の簡単な説明】
【００３５】
【図１】本発明の一実施形態に係る電気接続箱の斜視図である。
【図２】図１に示された電気接続箱の平面図である。
【図３】図１に示された電気接続箱の分解斜視図である。
【図４】図１に示された電気接続箱の第２仮固定部が仮固定した状態を示す斜視図である。
【符号の説明】
【００３６】
１  電気接続箱
２  ボディパネル（パネル）
７  箱体
９  第２固定部（固定部）
１１  第２仮固定部（仮固定部）
１８  リレー（電気部品）
１９  ヒューズ（電気部品）
２５  アーム部
２６  係止突起
【図１】
0004714569.tif 000002
【図２】
0004714569.tif 000003
【図３】
0004714569.tif 000004
【図４】
0004714569.tif 000005